【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
入力操作に関する可視情報を表示可能な表示部と、
前記表示部の表示画面への指示を行い、入力信号を発生する入力操作部と、
前記入力操作部の入力信号に基づいて処理を指示する入力制御部と
を備える電子機器の入力装置であって、
前記入力制御部は、
前記入力信号に基づいて前記表示画面に対応する入力された位置を検出する入力位置検出部と、
前記表示画面に表示する操作対象のオブジェクトの表示状態を制御する画面表示制御部と、
前記画面表示制御部により前記操作対象のオブジェクトが非表示状態となっている場合に、前記入力位置検出部により検出された入力位置が、入力操作に感応する感応領域としての前記オブジェクトの表示領域を含む第１の感応領域内にあるか否かを判定する入力信号解析部とを有し、
前記入力信号解析部により前記入力位置が前記第１の感応領域内にあると判定した場合に、前記入力操作に対する処理を実行し、前記画面表示制御部によって前記オブジェクトを表示状態にするか、または前記オブジェクトの輪郭を表示する電子機器の入力装置。
【請求項２】
入力操作に関する可視情報を表示可能な表示部と、
前記表示部の表示画面への指示を行い、入力信号を発生する入力操作部と、
前記入力操作部の入力信号に基づいて処理を指示する入力制御部と
を備える電子機器の入力装置であって、
前記入力制御部は、
前記入力信号に基づいて前記表示画面に対応する入力された位置を検出する入力位置検出部と、
前記表示画面に表示する操作対象のオブジェクトの表示状態を制御する画面表示制御部と、
前記画面表示制御部により前記操作対象のオブジェクトの輪郭の明瞭度が低い形態で表示状態となっている場合に、前記入力位置検出部により検出された入力位置が、入力操作に感応する感応領域としての前記オブジェクトの表示領域を含む第１の感応領域内にあるか否かを判定する入力信号解析部とを有し、
前記入力信号解析部により前記入力位置が前記第１の感応領域内にあると判定した場合に、前記入力操作に対する処理を実行し、前記画面表示制御部によって前記オブジェクトを表示状態にするか、または前記オブジェクトの輪郭を表示する電子機器の入力装置。
【請求項３】
入力操作に関する可視情報を表示可能な表示部と、
前記表示部の表示画面に対応する入力面への接触操作による入力機能を有するタッチパネルと、
前記タッチパネルの入力信号に基づいて入力操作に対する処理を指示する入力制御部とを備え、
前記入力制御部は、
前記入力面において入力された位置を検出する入力位置検出部と、
前記表示画面に表示する操作対象のオブジェクトの表示状態を制御する画面表示制御部と、
前記画面表示制御部により前記操作対象のオブジェクトが非表示状態となっている場合に、前記入力位置検出部により検出された入力位置が、入力操作に感応する感応領域としての前記オブジェクトの表示領域を含む第１の感応領域内にあるか否かを判定する入力信号解析部とを有し、
前記入力信号解析部により前記入力位置が前記第１の感応領域内にあると判定した場合に、前記入力操作に対する処理を実行し、前記画面表示制御部によって前記オブジェクトを表示状態にするか、または前記オブジェクトの輪郭を表示する電子機器の入力装置。
【請求項４】
入力操作に関する可視情報を表示可能な表示部と、
前記表示部の表示画面に対応する入力面への接触操作による入力機能を有するタッチパネルと、
前記タッチパネルの入力信号に基づいて入力操作に対する処理を指示する入力制御部とを備え、
前記入力制御部は、
前記入力面において入力された位置を検出する入力位置検出部と、
前記表示画面に表示する操作対象のオブジェクトの表示状態を制御する画面表示制御部と、
前記画面表示制御部により前記操作対象のオブジェクトの輪郭の明瞭度が低い形態で表示状態となっている場合に、前記入力位置検出部により検出された入力位置が、入力操作に感応する感応領域としての前記オブジェクトの表示領域を含む第１の感応領域内にあるか否かを判定する入力信号解析部とを有し、
前記入力信号解析部により前記入力位置が前記第１の感応領域内にあると判定した場合に、前記入力操作に対する処理を実行し、前記画面表示制御部によって前記オブジェクトを表示状態にするか、または前記オブジェクトの輪郭を表示する電子機器の入力装置。
【請求項５】
請求項１ないし４のいずれか一項に記載の電子機器の入力装置であって、
前記入力信号解析部は、前記画面表示制御部が前記オブジェクト自体または前記オブジェクトの輪郭を表示して所定時間経過後、入力操作に感応する感応領域を前記第１の感応領域以内の第２の感応領域に切り替え、前記入力位置が前記第２の感応領域内にあるか否かを判定する電子機器の入力装置。
【請求項６】
請求項１ないし４のいずれか一項に記載の電子機器の入力装置であって、
前記入力信号解析部は、前記第１の感応領域として、前記オブジェクトの表示領域より大きい領域を設定する電子機器の入力装置。
【請求項７】
請求項５に記載の電子機器の入力装置であって、
前記入力信号解析部は、前記第２の感応領域として、前記オブジェクトの表示領域と約同等の大きさで前記第１の感応領域より小さい領域を設定する電子機器の入力装置。
【請求項８】
請求項１ないし４のいずれか一項に記載の電子機器の入力装置であって、
前記入力信号解析部は、前記オブジェクトの輪郭の明瞭度が低い形態として、前記オブジェクトの輪郭部分が複雑な形状の場合、前記オブジェクトの表示がグラデーションを含んでいる場合、前記オブジェクトの表示輝度が低い場合、前記オブジェクトと背景とのコントラストが低い場合のうちの少なくとも一つを含む場合に、前記第１の感応領域として、前記オブジェクトの表示領域より大きい領域を設定する電子機器の入力装置。
【請求項９】
請求項１ないし４のいずれか一項に記載の電子機器の入力装置であって、
前記入力信号解析部は、前記入力位置が前記第１の感応領域外である場合であっても、所定時間以内に前記入力位置が前記第１の感応領域内に移動したことを検出した場合には、前記オブジェクトに対する入力操作であると判定する電子機器の入力装置。
【請求項１０】
入力操作に関する可視情報を表示可能な表示部と、前記表示部の表示画面に対応する入力面への接触操作による入力機能を有するタッチパネルと、前記タッチパネルの入力信号に基づいて入力操作に対する処理を指示する入力制御部とを備える電子機器の入力装置における入力操作処理方法であって、
前記入力制御部において、
前記入力面において入力された位置を検出する入力位置検出ステップと、
前記表示画面に表示する操作対象のオブジェクトの表示状態を制御する画面表示制御ステップと、
前記操作対象のオブジェクトが非表示状態となっている場合に、前記検出された入力位置が、入力操作に感応する感応領域としての前記オブジェクトの表示領域を含む第１の感応領域内にあるか否かを判定する入力信号解析ステップとを有し、
前記入力信号解析ステップにより前記入力位置が前記第１の感応領域内にあると判定した場合に、前記入力操作に対する処理を実行し、前記画面表示制御ステップによって前記オブジェクトを表示状態にするか、または前記オブジェクトの輪郭を表示する入力操作処理方法。
【請求項１１】
コンピュータに、請求項１０に記載の入力操作処理方法の各ステップの手順を実行させるための入力制御プログラム。
【請求項１２】
請求項１〜９のいずれか一項に記載の入力装置を搭載した電子機器。